(57)【要約】【課題】複数の読取面を備えた回転自在な多角柱状のプラテンガラスを備え、読取面に付着したゴミを、ブラシ等を用いることのない簡単な構造で、しかもユーザーの手による清掃を必要とせずに自動的に除去する。【解決手段】プラテンガラス１０に沿って原稿を搬送する過程で、該プラテンガラスを間に挟んで原稿の搬送経路とは反対側に配置された読取部２０により該原稿の画像を読取る画像読取装置において、プラテンガラスは、搬送中の原稿と対面する読取面を３面有する三角柱体であり、且つその中心軸を中心として回転することにより、何れかの読取面を原稿と対面する読取位置に切替え可能であり、プラテンガラスが回転する過程で間欠駆動させることにより微細な振動を発生させる。【選択図】図１
2018006895.tif 000002
【特許請求の範囲】
【請求項１】
プラテンガラスに沿って原稿を搬送する過程で、該プラテンガラスを間に挟んで前記原稿の搬送経路とは反対側に配置された読取部により該原稿の画像を読取る画像読取装置において、
前記プラテンガラスは、搬送中の前記原稿と対面する読取面を３面有する三角柱体であり、且つその中心軸を中心として回転することにより、何れかの前記読取面を前記原稿と対面する読取位置に切替え可能に構成されており、
前記プラテンガラスを回転させて何れかの前記読取面を前記読取位置に切り替える読取面切替手段と、
前記読取面切替手段を制御する制御手段と、を備え、
前記制御手段は、前記プラテンガラスが回転する過程で間欠駆動させることにより振動を発生させることを特徴とする画像読取装置。
【請求項２】
前記読取部による原稿の読取り回数を積算する読取り回数積算手段を備え、
前記読取り回数積算手段により積算された読取り回数に基づいて前記プラテンガラスの読取面を切り替えることを特徴とする請求項１に記載の画像読取装置。
【請求項３】
前記読取面の切替えを実行してからの経過時間を測る経過時間積算手段を備え、
前記経過時間積算手段により積算された経過時間に基づいて前記プラテンガラスの読取面を切り替えることを特徴とする請求項１又は２に記載の画像読取装置。
【請求項４】
前記プラテンガラスの読取面の汚れを検出する汚れ検出手段を備え、
前記汚れ検出手段の検出結果に基づいて前記プラテンガラスの読取面を切り替えることを特徴とする請求項１、２又は３に記載の画像読取装置。
【請求項５】
手動操作により前記読取面切替手段を作動させて前記プラテンガラスの読取面を切り替えることを可能としたことを特徴とする請求項１乃至４の何れか一項に記載の画像読取装置。
【請求項６】
請求項１乃至５の何れか一項に記載の画像読取装置を備えたことを特徴とする画像形成装置。
【発明の詳細な説明】
【技術分野】
【０００１】
本発明は、原稿をプラテンガラスに沿って移動させながら原稿画像を読取るようにした画像読取装置、及び画像形成装置に関する。
【背景技術】
【０００２】
電子写真式の複写機、プリンタ、ファクシミリ装置、及びこれらの複合機、その他のプリンタ、印刷装置にあっては、原稿を読取位置に自動給紙する過程で、静止した画像読取部により原稿画像を光学的に読取り、読取った画像データを電気的に処理して得た画像データにもとづいて画像形成手段によって記録媒体上に可視画像を記録する処理が実施される。
例えば電子写真式の画像形成装置にあっては、画像形成装置本体のプラテンガラス上に自動原稿給紙装置（ＡＤＦ）を設置することにより、一度に大量の原稿を高速かつ自動で読取ることを可能にしている。
自動原稿給紙装置によってプラテンガラス上の読取位置に原稿を搬送する過程で、プラテンガラス直下に静止させた画像読取部により搬送中の原稿画像を読取るタイプの画像読取装置が知られている。このタイプにあっては、原稿搬送面に設けた読取用の開口部内にプラテンガラスの読取面が位置するように構成している。しかし、プラテンガラスの読取面が原稿からの紙粉、塵等のゴミによって汚れやすく、この汚れは読取り画像中に縦スジ等をもたらして画像品質を低下させる原因となっている。
【０００３】
特許文献１には、角部が面取りされた回転可能な略角柱型プラテンガラスを回転させると同時に、ブラシローラでプラテンガラス面を清掃することにより、プラテンガラスに付着したゴミを除去させる構成が開示されている。これによれば、プラテンガラスに汚れが生じても、清掃のための手間と時間を要せずに原稿画像の読取りの開始或いは続行が可能になる、とされている。
しかし、ブラシローラが必須となるため、部品点数の増大、占有スペースの増大により、読取り装置の小型化、低コスト化への障害となっている。また、四角柱状のプラテンガラスの角部に読取光が照射される設計であるため、角部を面取りして丸みを帯びさせることにより角部をレンズ状にし、読取り光を読取面へスムーズに導くようにしている。このため、面取りする分だけ加工手数を増大するという問題を生じる。
【発明の概要】
【発明が解決しようとする課題】
【０００４】
本発明は、上記に鑑みてなされたものであり、複数の読取面を備えた回転自在な多角柱状のプラテンガラスを備えた画像読取装置において、読取面に付着したゴミを、ブラシ等を用いることのない簡単な構造で、しかもユーザーの手による清掃を必要とせずに自動的に除去することを目的とする。
【課題を解決するための手段】
【０００５】
上記目的を達成するため、本発明は、プラテンガラスに沿って原稿を搬送する過程で、該プラテンガラスを間に挟んで前記原稿の搬送経路とは反対側に配置された読取部により該原稿の画像を読取る画像読取装置において、前記プラテンガラスは、搬送中の前記原稿と対面する読取面を３面有する三角柱体であり、且つその中心軸を中心として回転することにより、何れかの前記読取面を前記原稿と対面する読取位置に切替え可能に構成されており、前記プラテンガラスを回転させて何れかの前記読取面を前記読取位置に切り替える読取面切替手段と、前記読取面切替手段を制御する制御手段と、を備え、前記制御手段は、前記プラテンガラスが回転する過程で間欠駆動させることにより振動を発生させることを特徴とする。
【発明の効果】
【０００６】
本発明の画像読取装置によれば、複数の読取面を備えた回転自在な多角柱状のプラテンガラスを備えた画像読取装置において、読取面に付着したゴミを、プラテンガラスを回転させる過程で振動させることにより、ブラシ等を用いることのない簡単な構造で、しかもユーザーの手による清掃を必要とせずに除去することができる。
【図面の簡単な説明】
【０００７】
【図１】本発明の一実施形態に係る画像読取装置の要部構成説明図である。
【図２】（ａ）及び（ｂ）はプラテンガラスの構成を示す斜視図、及び正面図である。
【図３】プリズム型プラテンガラスによる自動ゴミ除去回転機能の制御手順を示すフローチャートである。
【図４】プリズム型プラテンガラスによる手動ゴミ除去回転機能の制御手順を示すフローチャートである。
【発明を実施するための形態】
【０００８】
以下、本発明を図面に示した実施の形態により詳細に説明する。
＜画像読取装置の基本構成＞
図１は本発明の一実施形態に係る画像読取装置の要部構成説明図であり、プリズム型プラテンガラスの設置位置、及び読取部による原稿読取り時のコピーランプからの読取り光の光路を示している。
この画像読取装置１は、画像読取装置本体２と、自動原稿給紙装置（ＡＤＦ）５０とから構成され、画像読取装置本体２、及び自動原稿給紙装置（ＡＤＦ）５０は、例えば電子写真式プリンタの一部を構成している。
電子写真式プリンタは、画像読取装置１によって読取られた原稿反射光を、予め一様に帯電された感光体上に照射することによって静電潜像を形成する。この静電潜像は現像装置から供給される現像剤によって可視化されてから、転写位置に給紙されてきた記録媒体上に転写される。未定着画像を担持した記録媒体は、定着装置を通過する際に加熱、加圧されることにより定着されて機外に排出される。
【０００９】
ＡＤＦ５０は、図示しない原稿セット部にセットされた原稿を搬送ベルトにより一枚ずつ読取位置に向けて給紙し、原稿が読取位置にあるプリズム型プラテンガラス１０（以下、プラテンガラス、と称する）を通過するタイミングで、静止した読取部によって画像の読取を受ける。読取部２０によって読取られた光学的な画像データはＣＣＤ等の撮像デバイス６０の受光面に結像されてから光電変換されて電気信号として画像処理部に出力される。
ＡＤＦ５０は、画像読取装置本体２上に閉じた状態において原稿Ｄを原稿セット部からプラテンガラス１０に搬送する搬送経路、搬送機構を備え、プラテンガラスを通過した原稿は図示しない排紙部に排出される。
【００１０】
画像読取装置本体２は、三角柱状の透明硝子、或いは透明樹脂からなるプリズム型プラテンガラス１０と、プラテンガラスを回転駆動させる駆動機構（モータ、駆動伝達手段等）と、読取部（読取光学系）２０と、原稿ガイド部４０と、から概略構成されている。
プラテンガラス１０は、その中心軸１１を中心として回転自在に軸支され、駆動機構（読取面切替手段８０）を構成するモータなどの駆動源によって矢印方向へ回転駆動される。駆動源は、制御手段（ＣＰＵ、ＲＯＭ、ＲＡＭ）７０により制御される。
プラテンガラス１０の直上に位置する原稿ガイド部４０には読取用の開口部４１が形成されており、プラテンガラスの３つの読取面１２ａ、１２ｂ、１２ｃのうちの何れか一面が開口部４１を塞ぐ形で停止した状態とすることにより、その上を通過する原稿Ｄと対面する。図示の状態では読取面１２ａが上向きの状態にあるが、プラテンガラス１０の駆動モータを図示しない制御手段７０が制御して１２０度ずつ回転させることにより、他の読取面１２ｂ、１２ｃを開口部４１側に移動させることができる。一つの読取面を利用した読取りが所定回数実施された後は、汚れによる画質の劣化を防止するために、プラテンガラス１０を１２０度回動させて次の読取面に切り替える制御を行う。
【００１１】
更に、本発明では、プラテンガラス１０を、例えば、５度、１０度、１５度などの小刻みな間隔で一方向に回動させてから停止させ、更に同一方向に同一角度回動させてから停止させる、という間欠駆動（間欠回動）が可能となるように制御手段７０が駆動機構（読取面切替手段８０）の制御を行う。或いは、図示の回転方向とは逆方向に回転（間欠回転）可能に制御するようにしてもよい。
即ち、本発明は、プラテンガラス１０に沿って原稿を搬送する過程で、プラテンガラスを間に挟んで原稿の搬送経路とは反対側に配置された読取部２０により原稿の画像を読取る画像読取装置において、プラテンガラス１０は、搬送中の原稿と対面する読取面１２を３面有する三角柱体であり、且つその中心軸１１を中心として回転駆動可能に構成されていて、何れかの読取面を原稿と対面する読取位置に切替え可能に構成されており、更にプラテンガラスが回転する際に、回動、停止を繰り返す間欠駆動を実施することにより微細な振動を発生させるようにした構成が特徴的である。
【００１２】
これを言い換えれば、本発明の画像読取装置は、読取用の開口部４１内に位置するプラテンガラス（読取面）に付着したゴミ、汚れの除去に際して、以下の特徴を有する。
即ち、読取用の開口部４１に読取面１２を位置させるように配置されたプラテンガラス１０を回転可能な三角柱のプリズム型とし、ソフト制御によってプラテンガラスの駆動と停止を連続で繰り返しながら間欠的に回転させることでプラテンガラスに振動を発生させて、プラテンガラスに付着したゴミ等を振るい落とす。プリズム型のプラテンガラスとすることにより、素材加工が容易で、かつガラス面を清掃するための専用の機構が不要なシンプルで小型の構造となっている。
読取部２０は、黄色コピーランプ（光源）２２を搭載して矢印方向へ往復移動可能なキャリッジ２１と、複数のミラー２３ａ、２３ｂ、２３ｃと、を備えている。ＡＤＦ５０により搬送される原稿を読取る場合には読取部２０は図示の位置に静止した状態を維持する。
【００１３】
ＡＤＦ５０が読取位置（プラテンガラスの読取面１２ａ）に向けて原稿Ｄを搬送している最中は、プラテンガラス１０は一つの読取面１２ａを上向きにする一方で、読取面１２ａと対向する一つの頂点（頂辺）を真下に向けた状態で停止している。
原稿を読取るためのコピーランプ２２としては、プラテンガラス１０と原稿Ｄとの位置関係上、プラテンガラス１０に光を当てた際に原稿Ｄに対して最適な屈折角で入射・反射することができる色である黄色の光のみを照射する黄色コピーランプを用いる。
読取部２０により搬送中の原稿Ｄを読取る場合、キャリッジ２１に支持された黄色コピーランプ２２から照射された入射光２２ａは、読取面１２ｂから入射し、読取面１２ｂと読取面１２ａとの間を屈折しながら通過して読取面１２ａから出射して原稿Ｄへ到達する。その後原稿Ｄにて反射した反射光２２ｂは読取面１２ａから入射し、読取面１２ａと読取面１２ｃとの間を屈折しながら通過して読取面１２ｃから出射し、キャリッジ２１に支持された第一ミラー２３ａから第二ミラー２３ｂ、第三ミラー２３ｃを介して最終的に撮像デバイス６０へ入力される。
【００１４】
ＡＤＦ５０が原稿を搬送中ではない状態の時、即ち読取部２０が読取動作を行っていない状態の時、ＡＤＦが原稿を搬送した回数などの予め定めた条件を成就することを条件として、プラテンガラス１０は駆動と停止を連続的に繰り返して微細な振動を発生させながら自動的に所定方向へ１２０度回転開始する。つまり、読取面を切り替えるためにプラテンガラスを１２０度回転させる過程で、駆動と停止を小刻みに繰り返すことにより微細な振動を発生させる。この間欠駆動により、原稿Ｄと対面していた読取面１２ａに付着したゴミが下方へ振り落とされ、同時に、既にゴミが除去されている読取面１２ｃが原稿Ｄと対面する形となる。プラテンガラスの回転方向は、図示の例では反時計回り方向であるが、時計回り方向としてもよい。
【００１５】
なお、プラテンガラス１０が回転する前に予めキャリッジ２１は読取り用の開口部４１を横方向に回避した位置にあるフレーム４２ａ、４２ｂの一方、本例ではフレーム４２ａの下方へ自動的に退避しており、ゴミが降りかかってくることはない。
プラテンガラス１０が１２０度回転し終えた後、キャリッジ２１はプラテンガラス１０の真下（読取位置）へと戻ってくる。
【００１６】
図２（ａ）及び（ｂ）はプラテンガラスの構成を示す斜視図、及び正面図である。
プラテンガラス１０を支持する回転軸１１は、黄色コピーランプ２２から照射された光２２ａ、２２ｂの経路を妨げないよう、プラテンガラス１０の内部を貫通した構造とするのではなく、両端部のみを支える構成とするのが好ましい。
【００１７】
＜読取面の切替えタイミングに関する手法＞
本発明では、プラテンガラスを回転させて読取面を新たな面に切り替えるタイミング（読取面切替手段の駆動タイミング）として、複数の手法を採ることができる。
第１の切替え手法では、制御手段７０は、ＡＤＦによって搬送した原稿の積算枚数、即ち読取部による原稿の読取り回数を積算する読取り回数積算手段を備え、読取り回数積算手段の積算回数が所定値に達した場合に読取面切替手段８０としての駆動源を制御することにより、プラテンガラスを１２０度回転させて読取面を新たなものに切り替える。
【００１８】
第２の切替え手法では、制御手段７０は、前回読取面切替手段の駆動を実行して読取面を切り替えてからの経過時間を測る経過時間積算手段を備え、経過時間積算手段の積算時間が所定値に達した場合に読取面切替手段８０としての駆動源を制御することにより、プラテンガラスを１２０度回転させて読取面を新たなものに切り替える。
【００１９】
第３の切替え手法では、制御手段７０は、プラテンガラスの読取面の汚れを検出する汚れ検出手段８５を備え、汚れ検出手段による汚れの検出結果が所定値に達した時に、読取面切替手段８０としての駆動源を制御することにより、プラテンガラスを１２０度回転させて読取面を新たなものに切り替える。汚れ検出手段としては、フォトセンサ等を用いることができる。
【００２０】
以上の各切替え手法においてプラテンガラスを１２０度回転させる際には、上記の間欠駆動を行うことにより振動を発生させて付着したゴミを落下させる。
なお、画像読取装置１の操作部等にオペレータが任意に読取面切替え手段を作動させることを可能とする操作スイッチ（手動ゴミ除去回転ボタン）を設けることにより、読取り回数積算手段、経過時間積算手段、汚れ検出手段８５の各結果とは関係なく、任意に読取面切替え動作（ゴミ清掃動作）を実施できるようにしてもよい。
【００２１】
読取り回数積算手段、経過時間積算手段、汚れ検出手段８５による自動ゴミ除去のための間欠回転制御は、少なくとも一つの手法だけを採用してもよいし、何れか２つ、又は、全ての手法を併用するようにしてもよい。
【００２２】
＜自動ゴミ除去回転機能＞
次に、図３はプリズム型プラテンガラスによる自動ゴミ除去回転機能の制御手順を示すフローチャートである。
ステップＳ１では、現状が、電源投入時であるか、或いはＡＤＦ５０、読取部２０による原稿読取り完了後であるか否かをチェックする。つまり、本例ではプラテンガラス１０のゴミ除去回転機能は電源投入時、またはＡＤＦ読取り完了後のみに実行できるものとする。読取り開始前に実行させない理由は、読取開始前にゴミ除去回転機能を実行すると、読取り開始までに待ち時間が発生してしまうためである。
【００２３】
ステップＳ２では、ユーザーによって自動ゴミ除去回転機能の設定がＯＮにされているか否かをチェックする。ゴミ除去回転機能を、後述するステップＳ３における条件成就時に自動的に実行させるかどうかを、ユーザーは任意で設定できる。機能をＯＦＦに設定しておくと、自動ゴミ除去回転機能は実行されない。
【００２４】
ステップＳ３では、ＡＤＦによる原稿搬送枚数がユーザーによって予め設定された所定値を越えているか、或いは読取面を切り替えてから規定の期間が経過したか、或いは汚れ検出手段８５が所定値以上の汚れ（ゴミ）を検知したか、をチェックし、ＹＥＳであれば、ステップＳ４へ進む。ＡＤＦ５０によって原稿が何枚以上搬送されたらゴミ除去回転機能を自動的に実行させるか、或いは前回のゴミ除去回転機能の実行からどれくらいの期間が経過してから実行させるかを、ユーザーは任意で設定できる。但し、汚れ検出手段８５がゴミを検出した際には、その印刷終了後に自動的にゴミ除去回転機能を実行する。これらの条件を満たすまで、ゴミ除去回転機能は自動的に実行されない。なお、これは一例に過ぎず、何れか一つ、又は二つの条件成就によりゴミ除去回転機能を自動的に実行するようにしてもよい。
【００２５】
ステップＳ４は、ゴミ除去回転機能の準備段階を示しており、ゴミ除去回転機能実行前に、プラテンガラスからのゴミが降りかからないようにキャリッジ２１（光源、ミラー）を開口部４１を回避したフレーム４２ａの直下へ移動する。
【００２６】
ステップＳ５は、ゴミ除去回転機能の実行段階を示しており、プラテンガラス１０が駆動と停止を連続で繰り返しながら１２０度回転し、原稿Ｄと対面していた読取面１２ａが、他の読取面１２ｂのあった場所に移動する。その際、振動によってゴミが振るい落とされる。同時に、既にゴミが除去されている読取面１２ｃが、読取面１２ａのあった場所に移動して原稿Ｄと対面する形となる。
【００２７】
ステップＳ６では、プラテンガラス１０の回転が終了すると、フレーム４２ａの下に退避していたキャリッジ２１がプラテンガラス１０の真下へ戻ってくる。
【００２８】
ステップＳ７では、全ての負荷が停止し、ＡＤＦ５０は待機状態となる。
ここまでの一連の動作が、自動ゴミ除去回転機能となる。
【００２９】
＜手動ゴミ除去回転機能＞
次に、図４はプリズム型プラテンガラスによる手動ゴミ除去回転機能の制御手順を示すフローチャートである。
ステップＳ８では、ＡＤＦ５０が待機状態であるか否かをチェックし、待機状態である場合にはステップＳ９へ進む。
【００３０】
ステップＳ９においては、ユーザーが手動ゴミ除去回転ボタンを押し下げたか否かがチェックされる。ステップＳ８においてＡＤＦ５０が待機状態であり、ステップＳ９において操作パネルの手動ゴミ除去回転ボタン等を押下することで、ユーザーが任意のタイミングでプラテンガラス１０を回転させてゴミ除去機能を実行することができる。つまり、図５におけるステップＳ４〜Ｓ６を意図的に実行できる。
【００３１】
ステップＳ１０は、ゴミ除去回転機能の準備段階を示しており、ゴミ除去回転機能実行前に、プラテンガラスからのゴミが降りかからないようにキャリッジ２１（光源、ミラー）を開口部４１を回避したフレーム４２ａの直下へ移動する。
【００３２】
ステップＳ１１は、ゴミ除去回転機能の実行段階を示しており、プラテンガラス１０が駆動と停止を連続で繰り返しながら１２０度回転し、原稿Ｄと対面していた読取面１２ａが、読取面１２ｂのあった場所に移動する。その際、振動によってゴミが振るい落とされる。同時に、既にゴミが除去されている読取面１２ｃが、読取面１２ａのあった場所に移動して原稿Ｄと対面する形となる。
【００３３】
ステップＳ１２では、ユーザーがゴミ除去回転ボタンの押下を止めたか否かがチェックされ、ユーザーが一回このボタンを押下するとプラテンガラス１０が１２０度回転し、ユーザーがボタンを押し続けると、その間プラテンガラス１０は回転し続ける。このため、駆動と停止を連続的に繰り返して振動も常に発生する。なお、一回の回転動作では、１２０度ずつの回転を必ず完了することになっており、プラテンガラス１０が中途半端な角度の時にユーザーがボタンを離しても即時停止するわけではなく、１２０度回転しきったところ、つまりプラテンガラス１０が読取り可能なポジションになるまでは回転を維持し、自動的に停止する。
【００３４】
ステップＳ１３では、プラテンガラス１０の回転が終了すると、フレーム４２ａの下に退避していたキャリッジ２１がプラテンガラス１０の真下へ戻ってくる。
【００３５】
ステップＳ１４では全ての負荷が停止し、ＡＤＦ５０は待機状態となる。ここまでの一連の動作が、手動ゴミ除去回転機能となる。
【００３６】
＜特許文献１と本発明との相違点＞
本発明では、三角柱型のプラテンガラスをその軸芯を中心として回転させており、特許文献１には奇数角柱状のプラテンガラスについての言及があるが、間欠駆動により読取面に付着したゴミを落下、除去する制御については開示されていない。本発明ではプラテンガラスを三角柱型とすることにより、プラテンガラスの材料の加工が容易となり、簡単な構造で、プラテンガラスに付着したゴミを自動的に除去できる、という利点を有する。
【００３７】
また、プラテンガラスを三角柱のプリズム型という単純な形状にすることで、角部の面取りなどの加工が必要なく、尚且つ回転時に微細な振動を付加させることで読取面に付いたゴミを振るい落とすため、読取面を清掃するための専用の機構も不要となる。
特許文献１では、コピーランプの光を四角柱状のプラテンガラスの角部に当てるようにしているため、角部を面取りして丸みを帯びさせることでレンズ状にし、光を読取面へと導くようにしている。
【００３８】
一方、本発明では、コピーランプが三角柱のプラテンガラスの角部（角辺）ではなく、読取面に適確に照射されるようになっているため、光の屈折角度さえ考慮すれば読取面へと光をスムーズに導くことができる。特許文献１のように角部を面取りしてレンズ状に仕上げる手間が不要となる。
【００３９】
＜本発明の構成、作用、効果のまとめ＞
第１の本発明に係る画像読取り装置は、プラテンガラス１０に沿って原稿Ｄを搬送する過程で、該プラテンガラスを間に挟んで原稿の搬送経路とは反対側に配置された読取部２０により該原稿の画像を読取る画像読取装置において、プラテンガラスは、搬送中の原稿と対面する読取面１２を３面有する三角柱体であり、且つその中心軸１１を中心として回転することにより、何れかの読取面を原稿と対面する読取位置に切替え可能に構成されており、プラテンガラスを回転させて何れかの読取面を読取位置に切り替える読取面切替手段８０と、読取面切替手段を制御する制御手段７０と、を備え、制御手段は、前記プラテンガラスが回転する過程で間欠駆動させることにより微細な振動を発生させることを特徴とする。
これによれば、複数の読取面を備えた回転自在な多角柱状のプラテンガラスを備えた自動原稿読取装置において、読取面に付着したゴミを、ブラシ等の大型な機構を用いることなく、プラテンガラスを間欠駆動させるだけのシンプルな構造、制御で、しかもユーザーの手による清掃を必要とせずに自動的に除去することが可能となる。プラテンガラスを三角柱状とすることにより、四角柱等に比して使用材料を大幅に低減して、加工手数の低減、コストダウン、装置の小型化を図ることが可能となる。
【００４０】
第２の本発明に係る画像読取装置は、読取部２０による原稿の読取り回数を積算する読取り回数積算手段を備え、読取り回数積算手段により積算された読取り回数に基づいてプラテンガラスの読取面を切り替えることを特徴とする。
制御手段７０が読取面切替手段８０を制御してプラテンガラスの読取面を切り替える条件としての読取り回数（原稿の搬送回数）の情報は、プラテンガラスがゴミなどによって汚れる時期を判断する契機（判断基準）として有用であり、常に汚れのないプラテンガラスの読取面を読取り位置に配置して読取り画質を高く維持することが可能となる。
【００４１】
第３の本発明に係る画像読取装置は、読取面の切替えを実行してからの経過時間を測る経過時間積算手段を備え、経過時間積算手段により積算された経過時間に基づいてプラテンガラスの読取面を切り替えることを特徴とする。
プラテンガラスの読取面を切り替える条件としての経過時間の情報は、プラテンガラスがゴミなどによって汚れる時期を判断する契機（判断基準）として有用であり、常に汚れのないプラテンガラスの読取面を読取り位置に配置して読取り画質を高く維持することが可能となる。
【００４２】
第４の本発明に係る画像読取装置は、プラテンガラスの読取面の汚れを検出する汚れ検出手段８５を備え、汚れ検出手段の検出結果に基づいてプラテンガラスの読取面を切り替えることを特徴とする。
プラテンガラスの読取面を切り替える条件としての読取面の汚れ状態についての情報は、プラテンガラスの切替え時期を判断する契機（判断基準）として直接的であり、常に汚れのないプラテンガラスの読取面を読取り位置に配置して読取り画質を高く維持することが可能となる。
【００４３】
第５の本発明に係る画像読取装置は、手動操作により読取面切替手段８０を作動させてプラテンガラスの読取面を切り替えることを可能としたことを特徴とする。
これによれば、読取り回数、経過時間、汚れ状態とは関係なく、任意の段階でユーザーがプラテンガラスを回転させて汚れのない読取面を読取位置に移動させて品質の高い読取画像を得ることが可能となる。
【００４４】
本発明に係る画像形成装置は、請求項１乃至５の何れか一項に記載の画像読取装置を備えたことを特徴とする。
上記画像読取装置をＡＤＦ、画像読取り部を備えた画像形成装置に装備することにより、ゴミによる縦スジ等の汚れのない高品質の画像形成を行うことが可能となる。
【符号の説明】
【００４５】
１…画像読取装置、２…画像読取装置本体、１０…プリズム型プラテンガラス、１１…回転軸（中心軸）、１２…読取面、１２ａ…読取面、１２ｂ…読取面、１２ｃ…読取面、２０…読取部、２１…キャリッジ、２２…コピーランプ、２２…黄色コピーランプ、２２ａ…入射光、２２ｂ…反射光、２３ａ…第一ミラー、２３ｂ…第二ミラー、２３ｃ…第三ミラー、４０…原稿ガイド部、４１…開口部、４２ａ…フレーム、５０…ＡＤＦ（自動原稿給紙装置）、６０…撮像デバイス、７０…制御手段、８０…読取面切替手段、８５…汚れ検出手段
【先行技術文献】
【特許文献】
【００４６】
【特許文献１】特開２００５−１８４７４１公報
【図１】
2018006895.tif 000003
【図２】
2018006895.tif 000004
【図３】
2018006895.tif 000005
【図４】
2018006895.tif 000006